(57)【特許請求の範囲】
【請求項１】
記録媒体に記録される画像中の有効画像領域と非有効画像領域との境界位置を認識する認識手段と、
画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段と、
を含む画像処理装置であって、
前記画像の前記記録媒体への記録位置の偏倚量は、前記画像を記録した記録媒体に余白領域が形成されるように予め設定され、
前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に画像を記録させかつ前記記録面の一端部に余白領域を形成させる際に、予め設定された前記一端部から前記一端部と反対側の端部へ向かう方向への前記記録位置の偏倚量に従って前記画像を前記記録媒体に記録すると、前記画像中の前記有効画像領域の少なくとも一部が前記記録媒体に記録されないと判断した場合に、前記一端部から前記一端部と反対側の端部へ向かう方向への前記記録位置の偏倚量を、前記画像を前記記録媒体に記録した状態で前記有効画像領域を挟んで前記一端部と反対側に位置する前記非有効画像領域の幅に相当する値へ補正する画像処理装置。
【請求項２】
記録媒体に記録される画像中の有効画像領域と非有効画像領域との境界位置を認識する認識手段と、
画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段と、
を含む画像処理装置であって、
前記画像の前記記録媒体への記録位置の偏倚量は、前記画像を記録した記録媒体に余白領域が形成されるように予め設定され、
前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行い、
前記記録媒体の単一の記録面に当該記録面の中央部を挟んで複数の画像を並べて記録しかつ前記複数の画像の間に余白領域を形成させる場合は、余白領域の幅が予め設定されることで、前記個々の画像に対して前記記録媒体への記録位置を前記余白領域から前記記録面の端部へ向かう方向へ前記余白領域の幅の１／２に相当する距離だけ各々偏倚させる偏倚量が予め設定され、
前記制御手段は、予め設定された前記余白領域から前記端部の方向への前記記録位置の偏倚量に従って前記個々の画像を前記記録媒体に記録すると、前記個々の画像中の前記有効画像領域の少なくとも一部が前記記録媒体に記録されないと判断した場合に、前記余白領域から前記端部へ向かう方向への前記偏倚量を、前記画像を前記記録媒体に記録した状態で前記有効画像領域を挟んで前記中央部と反対側に位置する前記非有効画像領域の幅に相当する値へ補正する画像処理装置。
【請求項３】
記録媒体に記録される画像中の有効画像領域と非有効画像領域との境界位置を認識する認識手段と、
画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段と、
を含む画像処理装置であって、
前記画像の前記記録媒体への記録位置の偏倚量は、前記画像を記録した記録媒体に余白領域が形成されるように予め設定され、
前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に第１方向に沿って複数の画像を記録させかつ前記第１方向に沿った前記記録面の一端部に余白領域を形成させる場合において、予め設定された前記一端部から前記一端部と反対側の端部へ向かう方向への前記記録位置の偏倚量に従って前記複数の画像を前記記録媒体に記録すると前記複数の画像のうちの何れかの画像中の前記有効画像領域の少なくとも一部が前記記録媒体に記録されないと判断したときに、前記複数の画像の各々の前記第１方向に沿った有効画像領域の幅の合計に予め設定された前記偏倚量を加えた値が前記第１方向に沿った前記記録面の大きさより大きいのであれば、前記記録媒体への記録前の個々の画像中の非有効画像領域を削除すると共に、前記偏倚量を、前記複数の画像の各々の前記第１方向に沿った有効画像領域の幅の合計と前記第１方向に沿った前記記録面の大きさとの差分に相当する値へ補正する画像処理装置。
【請求項４】
記録媒体に記録される画像中の有効画像領域と非有効画像領域との境界位置を認識する認識手段と、
画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段と、
を含む画像処理装置であって、
前記画像の前記記録媒体への記録位置の偏倚量は、前記画像を記録した記録媒体に余白領域が形成されるように予め設定され、
前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に第１方向に沿って複数の画像を記録させかつ前記第１方向に沿った前記記録面の一端部に余白領域を形成させる場合において、予め設定された前記一端部から前記一端部と反対側の端部へ向かう方向への前記記録位置の偏倚量に従って前記複数の画像を前記記録媒体に記録すると前記複数の画像のうちの何れかの画像中の前記有効画像領域の少なくとも一部が前記記録媒体に記録されないと判断したときに、前記複数の画像の各々の前記第１方向に沿った有効画像領域の幅の合計に予め設定された前記偏倚量を加えた値が前記第１方向に沿った前記記録面の大きさより大きいのであれば、前記記録媒体への記録前の個々の画像中の非有効画像領域を削除すると共に、前記偏倚量を、前記複数の画像の各々の前記第１方向に沿った有効画像領域の幅の合計と前記第１方向に沿った前記記録面の大きさとの差分に相当する値へ補正する画像処理装置。
【請求項５】
前記制御手段は、前記複数の画像の各々の前記第１方向に沿った有効画像領域の幅の合計に予め設定された前記偏倚量を加えた値が前記第１方向に沿った前記記録面の大きさ以下の場合に、前記偏倚量を前記記録面に第１方向に沿って記録する画像の数で除すことで単一の画像当りの非有効画像領域の削除幅Ｘを求めると共に、個々の画像において前記第１方向に沿って有効画像領域の両側に存在する第１の非有効画像領域の幅と第２の非有効画像領域の幅の差分Ｙを求め、差分Ｙが削除幅Ｘ以上であれば、前記第１の非有効画像領域及び前記第２の非有効画像領域のうち幅の大きい方から削除幅Ｘ分削除する請求項３又は請求項４記載の画像処理装置。
【請求項６】
前記制御手段は、前記複数の画像の各々の前記第１方向に沿った有効画像領域の幅の合計に予め設定された前記偏倚量を加えた値が前記第１方向に沿った前記記録面の大きさ以下の場合に、前記偏倚量を前記記録面に第１方向に沿って記録する画像の数で除すことで単一の画像当りの非有効画像領域の削除幅Ｘを求めると共に、個々の画像において前記第１方向に沿って有効画像領域の両側に存在する第１の非有効画像領域の幅と第２の非有効画像領域の幅の差分Ｙを求め、差分Ｙが削除幅Ｘよりも小さければ、前記第１の非有効画像領域及び前記第２の非有効画像領域を、前記第１の非有効画像領域の幅及び前記第２の非有効画像領域の幅のうちの小さい方から(Ｘ−Ｙ)／２を減じた幅となるように削除する請求項３又は請求項４記載の画像処理装置。
【請求項７】
記録媒体に記録される画像に対しては、当該画像中の周縁に存在する非有効画像領域の幅が予め設定され、前記認識手段は、予め設定された前記非有効画像領域の幅と前記画像の大きさに基づいて前記境界位置を認識する請求項１〜請求項６の何れか１項記載の画像処理装置。
【請求項８】
原稿の画像を読み取る読取手段を更に備え、
前記認識手段は、前記読取手段によって読み取られて記録媒体に記録される画像に対し、前記記録媒体への記録対象から除外する前記画像の周縁部の幅が枠消し量として予め設定されている場合に、前記枠消し量を前記非有効画像領域の幅として用いる請求項７記載の画像処理装置。
【請求項９】
記録媒体上に余白領域が形成されるように前記記録媒体に画像を記録するにあたり、前記記録媒体のうち前記制御手段によって設定された前記偏倚量に従って偏倚させた記録位置に画像を記録すること、及び、前記制御手段によって前記非有効画像領域が削除された画像を前記記録媒体に記録すること、の少なくとも一方を行う記録手段を更に備えた請求項１〜請求項８の何れか１項記載の画像処理装置。
【請求項１０】
コンピュータを、
記録媒体に記録される画像中の有効画像領域と非有効画像領域との境界位置を認識する認識手段、
及び、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段
として機能させる画像処理プログラムであって、
前記画像の前記記録媒体への記録位置の偏倚量は、前記画像を記録した記録媒体に余白領域が形成されるように予め設定され、
前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に画像を記録させかつ前記記録面の一端部に余白領域を形成させる際に、予め設定された前記一端部から前記一端部と反対側の端部へ向かう方向への前記記録位置の偏倚量に従って前記画像を前記記録媒体に記録すると、前記画像中の前記有効画像領域の少なくとも一部が前記記録媒体に記録されないと判断した場合に、前記一端部から前記一端部と反対側の端部へ向かう方向への前記記録位置の偏倚量を、前記画像を前記記録媒体に記録した状態で前記有効画像領域を挟んで前記一端部と反対側に位置する前記非有効画像領域の幅に相当する値へ補正する画像処理プログラム。
【請求項１１】
コンピュータを、
記録媒体に記録される画像中の有効画像領域と非有効画像領域との境界位置を認識する認識手段、
及び、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段
として機能させる画像処理プログラムであって、
前記画像の前記記録媒体への記録位置の偏倚量は、前記画像を記録した記録媒体に余白領域が形成されるように予め設定され、
前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行い、
前記記録媒体の単一の記録面に当該記録面の中央部を挟んで複数の画像を並べて記録しかつ前記複数の画像の間に余白領域を形成させる場合は、余白領域の幅が予め設定されることで、前記個々の画像に対して前記記録媒体への記録位置を前記余白領域から前記記録面の端部へ向かう方向へ前記余白領域の幅の１／２に相当する距離だけ各々偏倚させる偏倚量が予め設定され、
前記制御手段は、予め設定された前記余白領域から前記端部の方向への前記記録位置の偏倚量に従って前記個々の画像を前記記録媒体に記録すると、前記個々の画像中の前記有効画像領域の少なくとも一部が前記記録媒体に記録されないと判断した場合に、前記余白領域から前記端部へ向かう方向への前記偏倚量を、前記画像を前記記録媒体に記録した状態で前記有効画像領域を挟んで前記中央部と反対側に位置する前記非有効画像領域の幅に相当する値へ補正する画像処理プログラム。
【請求項１２】
コンピュータを、
記録媒体に記録される画像中の有効画像領域と非有効画像領域との境界位置を認識する認識手段、
及び、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段
として機能させる画像処理プログラムであって、
前記画像の前記記録媒体への記録位置の偏倚量は、前記画像を記録した記録媒体に余白領域が形成されるように予め設定され、
前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に第１方向に沿って複数の画像を記録させかつ前記第１方向に沿った前記記録面の一端部に余白領域を形成させる場合において、予め設定された前記一端部から前記一端部と反対側の端部へ向かう方向への前記記録位置の偏倚量に従って前記複数の画像を前記記録媒体に記録すると前記複数の画像のうちの何れかの画像中の前記有効画像領域の少なくとも一部が前記記録媒体に記録されないと判断したときに、前記複数の画像の各々の前記第１方向に沿った有効画像領域の幅の合計に予め設定された前記偏倚量を加えた値が前記第１方向に沿った前記記録面の大きさより大きいのであれば、前記記録媒体への記録前の個々の画像中の非有効画像領域を削除すると共に、前記偏倚量を、前記複数の画像の各々の前記第１方向に沿った有効画像領域の幅の合計と前記第１方向に沿った前記記録面の大きさとの差分に相当する値へ補正する画像処理プログラム。
【請求項１３】
コンピュータを、
記録媒体に記録される画像中の有効画像領域と非有効画像領域との境界位置を認識する認識手段、
及び、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段
として機能させる画像処理プログラムであって、
前記画像の前記記録媒体への記録位置の偏倚量は、前記画像を記録した記録媒体に余白領域が形成されるように予め設定され、
前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に第１方向に沿って複数の画像を記録させかつ前記第１方向に沿った前記記録面の一端部に余白領域を形成させる場合において、予め設定された前記一端部から前記一端部と反対側の端部へ向かう方向への前記記録位置の偏倚量に従って前記複数の画像を前記記録媒体に記録すると前記複数の画像のうちの何れかの画像中の前記有効画像領域の少なくとも一部が前記記録媒体に記録されないと判断したときに、前記複数の画像の各々の前記第１方向に沿った有効画像領域の幅の合計に予め設定された前記偏倚量を加えた値が前記第１方向に沿った前記記録面の大きさより大きいのであれば、前記記録媒体への記録前の個々の画像中の非有効画像領域を削除すると共に、前記偏倚量を、前記複数の画像の各々の前記第１方向に沿った有効画像領域の幅の合計と前記第１方向に沿った前記記録面の大きさとの差分に相当する値へ補正する画像処理プログラム。
【発明の詳細な説明】
【技術分野】
【０００１】
本発明は画像処理装置及び画像処理プログラムに関する。
【背景技術】
【０００２】
特許文献１には、操作部を介して入力された原稿の指定領域を表す座標に基づいて、原稿中の指定領域の画像をトリミングすると共に、入力された前記座標、設定された倍率、選択された記録材のサイズに基づいて、指定領域の画像を記録材の中央に記録させるための画像のシフト量を決定する技術が開示されている。
【先行技術文献】
【特許文献】
【０００３】
【特許文献１】特開平７−２８３９３５号公報
【発明の概要】
【発明が解決しようとする課題】
【０００４】
本発明は、余白領域が形成されるように記録媒体に画像を記録する際に、画像中の有効画像領域全体を記録媒体に記録させることを、画像の縮小を行うことなく実現できる画像処理装置及び画像処理プログラムを得ることが目的である。
【課題を解決するための手段】
【０００５】
請求項１記載の発明に係る画像処理装置は、記録媒体に記録される画像中の有効画像領域と非有効画像領域との境界位置を認識する認識手段と、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段と、を含む画像処理装置であって、前記画像の前記記録媒体への記録位置の偏倚量は、前記画像を記録した記録媒体に余白領域が形成されるように予め設定され、前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に画像を記録させかつ前記記録面の一端部に余白領域を形成させる際に、予め設定された前記一端部から前記一端部と反対側の端部へ向かう方向への前記記録位置の偏倚量に従って前記画像を前記記録媒体に記録すると、前記画像中の前記有効画像領域の少なくとも一部が前記記録媒体に記録されないと判断した場合に、前記一端部から前記一端部と反対側の端部へ向かう方向への前記記録位置の偏倚量を、前記画像を前記記録媒体に記録した状態で前記有効画像領域を挟んで前記一端部と反対側に位置する前記非有効画像領域の幅に相当する値へ補正する。
【０００６】
請求項２記載の発明に係る画像処理装置は、記録媒体に記録される画像中の有効画像領域と非有効画像領域との境界位置を認識する認識手段と、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段と、を含む画像処理装置であって、前記画像の前記記録媒体への記録位置の偏倚量は、前記画像を記録した記録媒体に余白領域が形成されるように予め設定され、前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行い、前記記録媒体の単一の記録面に当該記録面の中央部を挟んで複数の画像を並べて記録しかつ前記複数の画像の間に余白領域を形成させる場合は、余白領域の幅が予め設定されることで、前記個々の画像に対して前記記録媒体への記録位置を前記余白領域から前記記録面の端部へ向かう方向へ前記余白領域の幅の１／２に相当する距離だけ各々偏倚させる偏倚量が予め設定され、前記制御手段は、予め設定された前記余白領域から前記端部の方向への前記記録位置の偏倚量に従って前記個々の画像を前記記録媒体に記録すると、前記個々の画像中の前記有効画像領域の少なくとも一部が前記記録媒体に記録されないと判断した場合に、前記余白領域から前記端部へ向かう方向への前記偏倚量を、前記画像を前記記録媒体に記録した状態で前記有効画像領域を挟んで前記中央部と反対側に位置する前記非有効画像領域の幅に相当する値へ補正する。
【０００７】
請求項３記載の発明に係る画像処理装置は、記録媒体に記録される画像中の有効画像領域と非有効画像領域との境界位置を認識する認識手段と、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段と、を含む画像処理装置であって、前記画像の前記記録媒体への記録位置の偏倚量は、前記画像を記録した記録媒体に余白領域が形成されるように予め設定され、前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に第１方向に沿って複数の画像を記録させかつ前記第１方向に沿った前記記録面の一端部に余白領域を形成させる場合において、予め設定された前記一端部から前記一端部と反対側の端部へ向かう方向への前記記録位置の偏倚量に従って前記複数の画像を前記記録媒体に記録すると前記複数の画像のうちの何れかの画像中の前記有効画像領域の少なくとも一部が前記記録媒体に記録されないと判断したときに、前記複数の画像の各々の前記第１方向に沿った有効画像領域の幅の合計に予め設定された前記偏倚量を加えた値が前記第１方向に沿った前記記録面の大きさより大きいのであれば、前記記録媒体への記録前の個々の画像中の非有効画像領域を削除すると共に、前記偏倚量を、前記複数の画像の各々の前記第１方向に沿った有効画像領域の幅の合計と前記第１方向に沿った前記記録面の大きさとの差分に相当する値へ補正する。
【０００８】
請求項４記載の発明に係る画像処理装置は、記録媒体に記録される画像中の有効画像領域と非有効画像領域との境界位置を認識する認識手段と、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段と、を含む画像処理装置であって、前記画像の前記記録媒体への記録位置の偏倚量は、前記画像を記録した記録媒体に余白領域が形成されるように予め設定され、前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に第１方向に沿って複数の画像を記録させかつ前記第１方向に沿った前記記録面の一端部に余白領域を形成させる場合において、予め設定された前記一端部から前記一端部と反対側の端部へ向かう方向への前記記録位置の偏倚量に従って前記複数の画像を前記記録媒体に記録すると前記複数の画像のうちの何れかの画像中の前記有効画像領域の少なくとも一部が前記記録媒体に記録されないと判断したときに、前記複数の画像の各々の前記第１方向に沿った有効画像領域の幅の合計に予め設定された前記偏倚量を加えた値が前記第１方向に沿った前記記録面の大きさより大きいのであれば、前記記録媒体への記録前の個々の画像中の非有効画像領域を削除すると共に、前記偏倚量を、前記複数の画像の各々の前記第１方向に沿った有効画像領域の幅の合計と前記第１方向に沿った前記記録面の大きさとの差分に相当する値へ補正する。
【０００９】
請求項５記載の発明は、請求項３又は請求項４記載の発明において、前記制御手段は、前記複数の画像の各々の前記第１方向に沿った有効画像領域の幅の合計に予め設定された前記偏倚量を加えた値が前記第１方向に沿った前記記録面の大きさ以下の場合に、前記偏倚量を前記記録面に第１方向に沿って記録する画像の数で除すことで単一の画像当りの非有効画像領域の削除幅Ｘを求めると共に、個々の画像において前記第１方向に沿って有効画像領域の両側に存在する第１の非有効画像領域の幅と第２の非有効画像領域の幅の差分Ｙを求め、差分Ｙが削除幅Ｘ以上であれば、前記第１の非有効画像領域及び前記第２の非有効画像領域のうち幅の大きい方から削除幅Ｘ分削除する。
【００１０】
請求項６記載の発明は、請求項３又は請求項４記載の発明において、前記制御手段は、前記複数の画像の各々の前記第１方向に沿った有効画像領域の幅の合計に予め設定された前記偏倚量を加えた値が前記第１方向に沿った前記記録面の大きさ以下の場合に、前記偏倚量を前記記録面に第１方向に沿って記録する画像の数で除すことで単一の画像当りの非有効画像領域の削除幅Ｘを求めると共に、個々の画像において前記第１方向に沿って有効画像領域の両側に存在する第１の非有効画像領域の幅と第２の非有効画像領域の幅の差分Ｙを求め、差分Ｙが削除幅Ｘよりも小さければ、前記第１の非有効画像領域及び前記第２の非有効画像領域を、前記第１の非有効画像領域の幅及び前記第２の非有効画像領域の幅のうちの小さい方から(Ｘ−Ｙ)／２を減じた幅となるように削除する。
【００１１】
請求項７記載の発明は、請求項１〜請求項６の何れか１項記載の発明において、記録媒体に記録される画像に対しては、当該画像中の周縁に存在する非有効画像領域の幅が予め設定され、前記認識手段は、予め設定された前記非有効画像領域の幅と前記画像の大きさに基づいて前記境界位置を認識する。
【００１２】
請求項８記載の発明は、請求項７記載の発明において、原稿の画像を読み取る読取手段を更に備え、前記認識手段は、前記読取手段によって読み取られて記録媒体に記録される画像に対し、前記記録媒体への記録対象から除外する前記画像の周縁部の幅が枠消し量として予め設定されている場合に、前記枠消し量を前記非有効画像領域の幅として用いる。
【００１３】
請求項９記載の発明は、請求項１〜請求項８の何れか１項記載の発明において、記録媒体上に余白領域が形成されるように前記記録媒体に画像を記録するにあたり、前記記録媒体のうち前記制御手段によって設定された前記偏倚量に従って偏倚させた記録位置に画像を記録すること、及び、前記制御手段によって前記非有効画像領域が削除された画像を前記記録媒体に記録すること、の少なくとも一方を行う記録手段を更に備えている。
【００１４】
請求項１０記載の発明に係る画像処理プログラムは、コンピュータを、記録媒体に記録される画像中の有効画像領域と非有効画像領域との境界位置を認識する認識手段、及び、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段として機能させる画像処理プログラムであって、前記画像の前記記録媒体への記録位置の偏倚量は、前記画像を記録した記録媒体に余白領域が形成されるように予め設定され、前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に画像を記録させかつ前記記録面の一端部に余白領域を形成させる際に、予め設定された前記一端部から前記一端部と反対側の端部へ向かう方向への前記記録位置の偏倚量に従って前記画像を前記記録媒体に記録すると、前記画像中の前記有効画像領域の少なくとも一部が前記記録媒体に記録されないと判断した場合に、前記一端部から前記一端部と反対側の端部へ向かう方向への前記記録位置の偏倚量を、前記画像を前記記録媒体に記録した状態で前記有効画像領域を挟んで前記一端部と反対側に位置する前記非有効画像領域の幅に相当する値へ補正する。
【００１５】
請求項１１記載の発明に係る画像処理プログラムは、コンピュータを、記録媒体に記録される画像中の有効画像領域と非有効画像領域との境界位置を認識する認識手段、及び、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段として機能させる画像処理プログラムであって、前記画像の前記記録媒体への記録位置の偏倚量は、前記画像を記録した記録媒体に余白領域が形成されるように予め設定され、前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行い、前記記録媒体の単一の記録面に当該記録面の中央部を挟んで複数の画像を並べて記録しかつ前記複数の画像の間に余白領域を形成させる場合は、余白領域の幅が予め設定されることで、前記個々の画像に対して前記記録媒体への記録位置を前記余白領域から前記記録面の端部へ向かう方向へ前記余白領域の幅の１／２に相当する距離だけ各々偏倚させる偏倚量が予め設定され、前記制御手段は、予め設定された前記余白領域から前記端部の方向への前記記録位置の偏倚量に従って前記個々の画像を前記記録媒体に記録すると、前記個々の画像中の前記有効画像領域の少なくとも一部が前記記録媒体に記録されないと判断した場合に、前記余白領域から前記端部へ向かう方向への前記偏倚量を、前記画像を前記記録媒体に記録した状態で前記有効画像領域を挟んで前記中央部と反対側に位置する前記非有効画像領域の幅に相当する値へ補正する。
【００１６】
請求項１２記載の発明に係る画像処理プログラムは、コンピュータを、記録媒体に記録される画像中の有効画像領域と非有効画像領域との境界位置を認識する認識手段、及び、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段として機能させる画像処理プログラムであって、前記画像の前記記録媒体への記録位置の偏倚量は、前記画像を記録した記録媒体に余白領域が形成されるように予め設定され、前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に第１方向に沿って複数の画像を記録させかつ前記第１方向に沿った前記記録面の一端部に余白領域を形成させる場合において、予め設定された前記一端部から前記一端部と反対側の端部へ向かう方向への前記記録位置の偏倚量に従って前記複数の画像を前記記録媒体に記録すると前記複数の画像のうちの何れかの画像中の前記有効画像領域の少なくとも一部が前記記録媒体に記録されないと判断したときに、前記複数の画像の各々の前記第１方向に沿った有効画像領域の幅の合計に予め設定された前記偏倚量を加えた値が前記第１方向に沿った前記記録面の大きさより大きいのであれば、前記記録媒体への記録前の個々の画像中の非有効画像領域を削除すると共に、前記偏倚量を、前記複数の画像の各々の前記第１方向に沿った有効画像領域の幅の合計と前記第１方向に沿った前記記録面の大きさとの差分に相当する値へ補正する。
請求項１３記載の発明に係る画像処理プログラムは、コンピュータを、記録媒体に記録される画像中の有効画像領域と非有効画像領域との境界位置を認識する認識手段、及び、画像を記録する記録媒体上に余白領域を形成する場合に、前記認識手段によって認識された前記境界位置に基づき、前記画像中の前記有効画像領域全体が前記記録媒体に記録されるように、前記画像の前記記録媒体への記録位置の偏倚量の設定及び前記記録媒体への記録前の前記画像中の前記非有効画像領域の削除の少なくとも一方を行う制御手段として機能させる画像処理プログラムであって、前記画像の前記記録媒体への記録位置の偏倚量は、前記画像を記録した記録媒体に余白領域が形成されるように予め設定され、前記制御手段は、前記認識手段によって認識された前記境界位置に基づき、予め設定された前記偏倚量に従って前記画像を前記記録媒体に記録すると前記画像中の前記有効画像領域の少なくとも一部が前記記録媒体に記録されないと判断した場合に、前記画像中の前記有効画像領域全体が前記記録媒体に記録されるように、予め設定された前記偏倚量の補正及び前記記録媒体への記録前の前記画像中の前記非有効画像領域の削除の少なくとも一方を行うと共に、前記記録媒体の記録面に第１方向に沿って複数の画像を記録させかつ前記第１方向に沿った前記記録面の一端部に余白領域を形成させる場合において、予め設定された前記一端部から前記一端部と反対側の端部へ向かう方向への前記記録位置の偏倚量に従って前記複数の画像を前記記録媒体に記録すると前記複数の画像のうちの何れかの画像中の前記有効画像領域の少なくとも一部が前記記録媒体に記録されないと判断したときに、前記複数の画像の各々の前記第１方向に沿った有効画像領域の幅の合計に予め設定された前記偏倚量を加えた値が前記第１方向に沿った前記記録面の大きさより大きいのであれば、前記記録媒体への記録前の個々の画像中の非有効画像領域を削除すると共に、前記偏倚量を、前記複数の画像の各々の前記第１方向に沿った有効画像領域の幅の合計と前記第１方向に沿った前記記録面の大きさとの差分に相当する値へ補正する。
【発明の効果】
【００１７】
請求項１,１０記載の発明は、本構成を有しない場合と比較して、記録媒体の記録面に単一の画像を記録させかつ第１方向に沿った記録面の一端部に余白領域を形成させる際に、予め設定された記録位置の偏倚量に従って画像を記録媒体に記録すると有効画像領域の少なくとも一部が記録媒体に記録されない場合に、有効画像領域全体を記録媒体に記録させることを、予め設定された記録位置の偏倚量に対して偏倚量の変化を抑制しつつ実現できる、という効果を有する。
【００１８】
請求項２,１１記載の発明は、本構成を有しない場合と比較して、記録媒体の単一の記録面に当該記録面の中央部を挟んで複数の画像を並べて記録しかつ複数の画像の間に余白領域を形成させる場合において、予め設定された記録位置の偏倚量に従って個々の画像を記録媒体に記録すると個々の画像中の有効画像領域の少なくとも一部が記録媒体に記録されないときに、有効画像領域全体を記録媒体に記録させることを、予め設定された記録位置の偏倚量に対して偏倚量の変化を抑制しつつ実現できる、という効果を有する。
【００１９】
請求項３,４,１２,１３記載の発明は、本構成を有しない場合と比較して、記録媒体の記録面に第１方向に沿って複数の画像を記録させかつ第１方向に沿った記録面の一端部に余白領域を形成させる場合において、予め設定された記録位置の偏倚量に従って複数の画像を記録媒体に記録すると何れかの画像中の有効画像領域の少なくとも一部が記録媒体に記録されないときに、有効画像領域全体を記録媒体に記録させることを、予め設定された記録位置の偏倚量に対して偏倚量の変化を抑制しつつ実現できる、という効果を有する。
【００２０】
請求項５,６記載の発明は、記録媒体の記録面に第１方向に沿って複数の画像を記録させかつ第１方向に沿った記録面の一端部に余白領域を形成させる際に、予め設定された記録位置の偏倚量に従って複数の画像を記録媒体に記録すると何れかの画像中の有効画像領域の少なくとも一部が記録媒体に記録されない一方、各画像中の非有効画像領域の少なくとも一部を削除すれば、予め設定された記録位置の偏倚量に従って複数の画像を記録媒体に記録しても各画像中の有効画像領域全体を記録媒体に記録できる場合に、各画像の有効画像領域を各画像の記録範囲の中央又は中央に近い位置に配置することができる、という効果を有する。
【００２１】
請求項７記載の発明は、本構成を有しない場合と比較して、記録媒体に記録される画像中の有効画像領域と非有効画像領域との境界位置を簡易な処理によって認識できる、という効果を有する。
【００２２】
請求項８記載の発明は、利用者が枠消し量と別に非有効画像領域の幅を設定する手間を省くことができる、という効果を有する。
【図面の簡単な説明】
【００２５】
【図１】(Ａ)は本実施形態に係る画像記録装置の概略構成を示すブロック図、(Ｂ)は画像処理部の機能ブロック図である。
【図２】画像処理部で行われるとじ代形成処理の内容を示すフローチャートである。
【図３】とじ代設定画面の画面イメージである。
【図４】(Ａ)はとじ代設定画面の画面イメージ、(Ｂ)は非有効画像領域設定画面の画面イメージである。
【図５】非有効画像領域の幅を説明するためのイメージ図である。
【図６】単一の記録面に単一の画像を記録する場合のとじ代の形成を説明するためのイメージ図である。
【図７】製本用モードでのとじ代の形成を説明するためのイメージ図である。
【図８】複数画像記録モードでのとじ代の形成を説明するためのイメージ図である。
【図９】複数画像記録モードでのとじ代の形成を説明するためのイメージ図である。
【発明を実施するための形態】
【００２６】
以下、図面を参照して本発明の実施形態の一例を詳細に説明する。図１(Ａ)には本実施形態に係る画像記録装置１０が示されている。本実施形態に係る画像記録装置１０は、複写機としての機能とファクシミリ装置としての機能とプリンタとしての機能を兼ね備えている。
【００２７】
画像記録装置１０は、原稿に記録されている画像を予め設定された解像度で読み取る画像読取部１２、入力された画像データが表す画像を記録用紙に記録する画像記録部１４、公衆交換電話網(ＰＳＴＮ(Public Switched Telephone Networks))やＩＳＤＮ(Integrated Services Digital Network)網等の公衆回線網を介してファクシミリ通信により画像データの送受信を行うファクシミリ通信部１６、ＬＡＮ(Local Area Network)等のネットワークを介して接続された図示しない端末装置と通信を行うネットワーク通信部１８、画像データを蓄積記憶する画像蓄積部２０、ＬＣＤ等から成る表示部とテンキーやタッチパネル等から成り操作入力を受け付ける受付部を含む操作受付／表示部２２、各種のシステムデータや端末装置から受信した情報等を記憶するためのメモリ２３、装置各部の動作を制御するシステム制御部２４、及び、画像データに対して符号化や復号化、拡大／縮小、編集等の各種の画像処理を行う画像処理部２６を備え、これらがバス２８を介して互いに接続されて構成されている。
【００２８】
なお画像記録部１４は、入力された画像データ(以下「入力画像データ」という)に基づき感光体上に電子写真方式で画像を形成して記録用紙に転写することで記録用紙に画像を記録する構成であってもよいし、入力画像データに基づき記録ヘッドからインクジェット方式でインク滴を吐出させて記録用紙に付着させることで記録用紙に画像を記録する構成であってもよく、公知の各種の画像記録方式のうちの何れの方式で記録用紙に画像を記録する構成であってもよい。
【００２９】
また、画像処理部２６はＣＰＵ２６Ａ、ＲＯＭやＲＡＭ等から成るメモリ２６Ｂ、ＨＤＤ(Hard Disk Drive)やフラッシュメモリ等から成る不揮発性の記憶部２６Ｃを含んで構成されている。記憶部２６Ｃには前述した各種の画像処理を行うための各種のプログラムが予め記憶されているが、この各種プログラムの中には、画像処理部２６のＣＰＵ２６Ａによって後述するとじ代形成処理を行うためのとじ代形成プログラムも含まれている。とじ代形成プログラムは本発明に係る画像処理プログラムに対応しており、画像処理部２６のＣＰＵ２６Ａがとじ代形成プログラムを実行することで、画像記録装置１０は本発明に係る画像処理装置として機能する。
【００３０】
次に本実施形態の作用を説明する。本実施形態では、画像記録装置１０に対して原稿の画像の記録用紙への複写が指示され、画像読取部１２によって原稿の画像が読み取られることで得られた画像データが画像読取部１２から画像処理部２６に入力されると、画像処理部２６のＣＰＵ２６Ａによってとじ代形成プログラムが実行され、画像処理部２６によって図２に示すとじ代形成処理が行われると共に、画像処理部２６が図１(Ｂ)に示すとじ代形成処理部３０として機能する。
【００３１】
とじ代形成処理部３０は有効／非有効画像領域検知部３２ととじ代形成部３４から構成されている。有効／非有効画像領域検知部３２は、入力された画像データが表す画像の記録用紙への記録に際してとじ代の形成が指示されている場合に、記録用紙に記録する画像中の有効画像領域と非有効画像領域との範囲(境界)を検知する。とじ代形成部３４は、有効／非有効画像領域検知部３２によって検知された画像中の有効画像領域と非有効画像領域との範囲(境界)に基づき、記録用紙上にとじ代が形成されるように、記録用紙への画像の記録位置のシフト量(偏倚量)の設定、及び、記録用紙に記録される画像に対する削除対象領域の設定の少なくとも一方を行う。
【００３２】
また、画像処理部２６は、ＣＰＵ２６Ａによって別のプログラムが実行されることで、図１(Ｂ)に示す画像シフト部３６及び画像削除部３８としても機能する。とじ代形成部３４によって設定された記録位置のシフト量は画像シフト部３６へ出力され、画像シフト部３６は、とじ代形成部３４から入力されたシフト量に応じて、記録用紙への画像の記録位置を移動させる。とじ代形成部３４によって設定された削除対象領域の情報は画像削除部３８へ出力され、画像削除部３８は、記録用紙へ記録される画像を表す画像データのうち、とじ代形成部３４から入力された情報が表す削除対象領域に相当するデータを、記録用紙に画像が記録される前に(記録用の画像データを生成する前に)削除する処理を行う。
【００３３】
なお、本実施形態に係る画像記録装置１０には、記録用紙への画像記録モードとして、記録用紙の単一の記録面に単一の画像を記録する通常モード、記録用紙の単一の記録面に当該記録面の中央部(記録面の中央、又は、当該中央から予め定めた距離以内の箇所)を挟んで複数の画像を並べて記録しかつ記録面の中央部に中とじ代用の余白領域を形成させる製本用モード、記録用紙の単一の記録面に複数の画像を記録する複数画像記録モード等の複数のモードが設けられているが、とじ代形成部３４は複数画像記録モード用とじ代形成部３４Ａを備えており、画像記録モードとして複数画像記録モードが選択されている場合には、複数画像記録モード用とじ代形成部３４Ａによって記録用紙への画像の記録位置のシフト量(偏倚量)の設定、及び、記録用紙へ記録する画像に対する削除対象の領域の設定の少なくとも一方が行われる。
【００３４】
次に、ＣＰＵ２６Ａによってとじ代形成プログラムが実行されることで画像処理部２６によって行われるとじ代形成処理について、図２を参照して説明する。とじ代形成処理では、まずステップ５０において、とじ代(とじ代用の余白領域)の形成が指示されているか否か判定する。本実施形態では利用者によって以下の操作が行われることでとじ代の形成が指示される。
【００３５】
すなわち、利用者によって操作受付／表示部２２の操作入力を受け付ける受付部(以下「操作入力受付部」という)部が操作されることで、画像記録モードとして通常モード又は複数画像記録モードが選択されると共に、とじ代の設定画面が呼び出されると、例として図３(Ａ)に示すように、記録用紙の表面／裏面の長辺側／短辺側の各箇所に形成させるとじ代用の余白領域の幅(とじ代量)を設定するためのとじ代設定欄４０Ａ〜４０Ｄが設けられたとじ代設定画面が操作／表示部２２の表示部に表示される。そして利用者により、操作受付／表示部２２の操作入力受付部を介して上記設定画面のとじ代設定欄４０Ａ〜４０Ｄの少なくとも１つにとじ代量を設定する操作が行われることで、通常モード又は複数画像記録モードにおけるとじ代の形成が指示されると共に、とじ代量も設定される。
【００３６】
なお、通常モード及び複数画像記録モードにおいて、記録用紙の記録面の一端部に幅ａのとじ代を設けることは、記録用紙の記録面への画像の記録位置を一端部と反対側へ距離ａだけ移動(シフト)させることによって成されるので、上記で設定されるとじ代量は、予め設定された画像の記録用紙への記録位置の偏倚量、より詳しくは、とじ代を形成させる記録用紙の記録面の一端部と反対側への画像記録位置の偏倚量に対応している。また、本実施形態における複数画像記録モードには、例として図４(Ａ)に示す詳細設定画面が用意されており、この詳細設定画面が操作／表示部２２の表示部に表示された状態で、利用者により、記録用紙の単一の記録面に記録する画像の数が、例えば「２」「４」「８」等の中から選択され、記録用紙の記録面に記録する画像の天地方向が、記録用紙の短辺方向と長辺方向の中から選択される。
【００３７】
また、利用者により画像記録モードとして製本用モードが選択されると共に、製本用モードの詳細な設定画面が呼び出されると、例として図３(Ｂ)に示す製本用モードの詳細設定画面が操作受付／表示部２２の表示部に表示される。続いて、この画面内に設けられた中とじ代設定用のボタン４２が利用者によって選択されると、例として図３(Ｃ)に示すように、記録用紙の記録面の中央部に形成させる中とじ代用の余白領域の幅(中とじ代量)を設定するための中とじ代設定欄４４が設けられた中とじ代設定画面が操作受付／表示部２２の表示部に表示される。そして利用者により、操作受付／表示部２２の操作入力受付部を介して上記設定画面の中とじ代設定欄４４に中とじ代量を設定する操作が行われることで、製本用モードにおけるとじ代(中とじ代)の形成が指示されると共に中とじ代量も設定される。
【００３８】
なお、製本用モードにおいて、記録用紙の記録面の中央部に幅ａの余白領域を設けることは、記録用紙の記録面の中央部を挟んで並べて記録する一対の画像を、一対の画像の間隔が大きくなる方向へ各々距離ａ／２ずつ移動(シフト)させることによって成されるので、上記のように中とじ代量が設定されることは、予め設定された画像の記録用紙への記録位置の偏倚量が設定されること、より詳しくは、一対の画像に対して記録用紙への記録位置を記録用紙の中央部と反対側へ中とじ代量の１／２に相当する距離だけ各々偏倚させる偏倚量が設定されることに相当する。
【００３９】
上記のように、利用者によってとじ代量が設定されると、設定されたとじ代量はメモリ２３に記憶される。先のステップ５０では、利用者によって設定されたとじ代量がメモリ２３に記憶されているか否かに基づいて、とじ代の形成が指示されているか否かを判定する。判定が否定された場合はとじ代形成処理を終了する。また、ステップ５０の判定が肯定された場合はステップ５２へ移行し、利用者によって予め設定された非有効画像領域の幅を取得する。
【００４０】
本実施形態では、記録用紙に記録する画像を、画像中の主要部に相当する領域(以下、この領域を有効画像領域と称する)とそれ以外の領域(以下、この領域を非有効画像領域と称する)に区分している。図５に示すように、有効画像領域は元の画像の中央部付近に存在する矩形状の領域、非有効画像領域は有効画像領域の周囲を取り囲む帯状の領域とされている。非有効画像領域は、文字や線画等が存在しない空白の領域であることが一般的であるが、これに限られるものではなく、例えばヘッダーやフッター等のように文書の全頁に一律に付加されている文字列の領域等が含まれていてもよい。
【００４１】
本実施形態では、上記の有効画像領域と非有効画像領域の区分が利用者によって予め設定される。この設定は、例えば図４(Ｂ)に示すように、有効画像領域の左側に存在する非有効画像領域の幅ＬＭ(図５も参照)を設定するための設定欄４６Ａ、有効画像領域の右側に存在する非有効画像領域の幅ＲＭ(図５も参照)を設定するための設定欄４６Ｂ、有効画像領域の上側に存在する非有効画像領域の幅ＴＭ(図５も参照)を設定するための設定欄４６Ｃ、及び、有効画像領域の下側に存在する非有効画像領域の幅ＢＭ(図５も参照)を設定するための設定欄４６Ｄが設けられた非有効画像領域幅設定画面を操作受付／表示部２２の表示部に表示させ、各箇所における非有効画像領域幅ＬＭ,ＲＭ,ＴＭ,ＢＭを対応する設定欄４６Ａ〜４６Ｄに各々入力する操作を利用者が行うことによって成される。
【００４２】
また利用者は、例えば記録用紙に複写する原稿に画像として記録されている文書のフォーマットにおける余白領域の幅等を計測する等により、非有効画像領域幅ＬＭ,ＲＭ,ＴＭ,ＢＭを判断・設定することができる。更に、記録用紙に複写する原稿が複数頁から成る場合、利用者によって設定された非有効画像領域幅ＬＭ,ＲＭ,ＴＭ,ＢＭは各頁の画像に一律に適用されるが、各頁の画像が表す文書のフォーマットが一定でない等の場合、利用者は、原稿の各頁の画像中の主要部が各画像中の有効画像領域内に収まるように、各頁の画像における非有効画像領域幅の最小値を非有効画像領域幅ＬＭ,ＲＭ,ＴＭ,ＢＭとして設定する。
【００４３】
上述したように、利用者によって非有効画像領域幅ＬＭ,ＲＭ,ＴＭ,ＢＭが設定されると、設定された非有効画像領域幅ＬＭ,ＲＭ,ＴＭ,ＢＭはメモリ２３に記憶される。先のステップ５２では、利用者によって設定されてメモリ２３に記憶された非有効画像領域幅ＬＭ,ＲＭ,ＴＭ,ＢＭをメモリ２３から読み出すことで取得する。なお、複数画像記録モード等では、原稿(の画像)のサイズ、記録用紙のサイズ、記録用紙の単一の記録面に記録する画像の数、等の各パラメータに応じて画像が縮小されて記録用紙に記録されることがある。また、通常モードでも利用者によって設定された拡大率又は縮小率で画像が拡大又は縮小されて記録用紙に記録されることがある。このため、ステップ５２では記録用紙への画像の記録に際して画像が縮小又は拡大されるか否かを確認し、画像が縮小又は拡大される場合は、メモリ２３から読み出した非有効画像領域幅ＬＭ,ＲＭ,ＴＭ,ＢＭを、画像の縮小率又は拡大率に基づいて、記録用紙上における実際の非有効画像領域の幅へ補正する。
【００４４】
また、非有効画像領域幅ＬＭ,ＲＭ,ＴＭ,ＢＭを原稿に画像として記録される文書のフォーマットの種類毎に設定・記憶しておき、複写しようとしている原稿に画像として記録される文書のフォーマットを利用者に選択させ、選択されたフォーマットに対応する非有効画像領域幅ＬＭ,ＲＭ,ＴＭ,ＢＭをメモリ２３から読み出すようにしてもよい。上述したステップ５２は本発明に係る認識手段(より詳しくは請求項７に記載の認識手段)に対応する処理の一例であり、ステップ５２の処理を行う画像処理部２６は本発明に係る認識手段の一例として機能する。
【００４５】
次のステップ５４では、利用者によって選択された画像記録モードが製本用モードか否か判定する。判定が否定された場合(画像記録モードが通常モード又は複数画像記録モードの場合)はステップ５６へ移行し、利用者によって設定されたとじ代量をメモリ２３から読み出し、記録用紙の記録面のとじ代形成側端部から当該とじ代形成側端部とは反対側への画像の記録位置のシフト量(偏倚量)として、読み出したとじ代量を設定する。ステップ５８では、ステップ５６で設定したシフト量が、ステップ５２で取得した非有効画像領域幅のうちとじ代用の余白領域を形成する側と反対側(シフト方向下流側)の非有効画像領域幅よりも大きいか否かを判定することで、現在のシフト量で有効画像領域の像欠け(有効画像領域の少なくとも一部が記録用紙の記録面から逸脱することで記録用紙の記録面に記録されない現象)が生ずるか否か判定する。
【００４６】
例えば通常モードにおいて、図６に示すように、記録用紙の記録面の右端にとじ代用の余白領域を形成する場合、記録用紙への画像の記録位置は、ステップ５６で設定したシフト量(＝とじ代量)だけ図６における左側へシフトさせる必要があるので、ステップ５６で設定したシフト量が左側の非有効画像領域幅ＬＭよりも大きいか否かを判定する。ステップ５８の判定が否定された場合(上記の例ではシフト量が左側の非有効画像領域幅ＬＭ以下の場合)には、例として図６(Ａ)に示すように、記録用紙への画像の記録位置をステップ５６で設定したシフト量だけシフトさせても、記録用紙の記録面に記録する画像中の有効画像領域全体が記録用紙に記録されると判断できるので、とじ代形成処理を終了する。
【００４７】
一方、ステップ５８の判定が肯定された場合、ステップ５６で設定したシフト量が、とじ代用の余白領域を形成する側と反対側(シフト方向下流側)の非有効画像領域幅よりも大きいので、現在のシフト量に従って記録用紙への画像の記録位置をシフトすると、例として図６(Ｂ)に示すように有効画像領域の像欠けが生ずる。このため、ステップ５８の判定が肯定された場合はステップ６０へ移行し、画像記録モードが複数画像記録モードか否か判定する。この判定が否定された場合はステップ６８へ移行し、シフト量として、とじ代用の余白領域を形成する側と反対側(シフト方向下流側)の非有効画像領域幅を設定することで、先のステップ５６で設定したシフト量を補正し、とじ代形成処理を終了する。
【００４８】
例えば通常モードにおいて、利用者により記録用紙の記録面の右端へのとじ代用の余白領域の形成が指示されると共に、利用者によって設定されたとじ代量 (＝シフト量)が左側の非有効画像領域幅ＬＭよりも大きい場合には、ステップ５８の判定が肯定され、ステップ６０の判定が否定されることで、左側の非有効画像領域幅ＬＭがシフト量に設定される。これにより、例として図６(Ｃ)に示すように、記録用紙の記録面に記録する画像中の有効画像領域全体が記録用紙に記録される。
【００４９】
次に製本用モードについて説明する。利用者により画像記録モードとして製本用モードが選択された場合には、先のステップ５４の判定が肯定されてステップ６４へ移行し、利用者によって設定された中とじ代量をメモリ２３から読み出し、読み出した中とじ代量の１／２に相当する値を、記録用紙の記録面に記録する一対の画像が離間する方向への記録位置のシフト量(偏倚量)として設定する。ステップ６６では、ステップ６４で設定したシフト量を、ステップ５２で取得した非有効画像領域幅のうち記録用紙の端部側の非有効画像領域幅よりも大きいか否かを判定することで、現在のシフト量で有効画像領域の像欠けが生ずるか否か判定する。
【００５０】
例えば製本用モードにおいて、図７に示すように、記録用紙の記録面の中央部にとじ代用の余白領域を形成する場合、記録用紙の記録面のうち中央部よりも左側に記録する画像の記録位置は、ステップ６４で設定したシフト量(＝中とじ代量／２)だけ図７における左側へシフトさせる必要があり、記録用紙の記録面のうち中央部よりも右側に記録する画像の記録位置は、ステップ６４で設定したシフト量(＝中とじ代量／２)だけ図７における右側へシフトさせる必要がある。但し、左側の非有効画像領域幅ＬＭと右側の非有効画像領域幅ＲＭは相違している可能性があるので、ステップ６６では、ステップ６４で設定したシフト量が左側の非有効画像領域幅ＬＭ及び右側の非有効画像領域幅ＲＭよりも各々大きいか否かを判定する。
【００５１】
ステップ６６の判定が否定された場合(シフト量が左側の非有効画像領域幅ＬＭ以下でかつ右側の非有効画像領域幅ＲＭ以下の場合)には、例として図７(Ａ)に示すように、記録用紙に記録する一対の画像の記録位置を、ステップ６４で設定したシフト量だけ各々シフトさせたとしても、記録用紙の記録面に記録する一対の画像中の有効画像領域全体が記録用紙に記録されると判断できるので、とじ代形成処理を終了する。
【００５２】
一方、ステップ６６の判定が肯定された場合は、ステップ６４で設定したシフト量が、左側の非有効画像領域幅ＬＭ及び右側の非有効画像領域幅ＲＭの少なくとも一方よりも大きいので、現在のシフト量に従って記録用紙に記録する一対の画像の記録位置をシフトすると、例として図７(Ｂ)に示すように有効画像領域の像欠けが生ずる。このため、ステップ６６の判定が肯定された場合はステップ６８へ移行し、シフト量として、とじ代用の余白領域を形成する側と反対側(シフト方向下流側)の非有効画像領域幅(詳しくは、左側の非有効画像領域幅ＬＭ及び右側の非有効画像領域幅ＲＭのうちの小さい方の値)を設定することで、先のステップ６４で設定したシフト量を補正し、とじ代形成処理を終了する。これにより、例として図７(Ｃ)に示すように、記録用紙の記録面に記録する一対の画像中の有効画像領域全体が記録用紙に各々記録される。
【００５３】
続いて複数画像記録モードについて説明する。利用者により画像記録モードとして複数画像記録モードが選択された場合は、通常モードと同様に、ステップ５４の判定が否定されて利用者によって設定されたとじ代量がシフト量として設定される。また、設定したシフト量がとじ代用の余白領域を形成する側と反対側(シフト方向下流側)の非有効画像領域幅よりも大きい場合、すなわち、現在のシフト量に従って画像の記録位置をシフトすると、例えば図８(Ａ)及び図９(Ａ)に示すように有効画像領域の像欠けが生ずる場合には、ステップ５８の判定が肯定されてステップ６０へ移行するが、この場合は画像記録モードとして複数画像記録モードが選択されているので、ステップ６０の判定が肯定されてステップ６２へ移行し、複数画像記録モードの設定が、画像の記録位置のシフト方向に沿って複数の画像を配列する設定となっているか否か判定する。
【００５４】
図４(Ａ)の詳細設定画面にも示されているように、本実施形態に係る複数画像記録モードは、記録用紙の単一の記録面に記録する画像の数が「２」の場合に２個の画像を記録用紙の長辺方向に沿って配列するが、利用者によって記録用紙の長辺側へのとじ代の形成が指示された場合は、指示されたとじ代を形成するための画像の記録位置のシフト方向が記録用紙の短辺に沿った方向となるので、画像の記録位置のシフト方向に沿った画像の数が「１」となる。この場合はステップ６２の判定が否定されてステップ６８へ移行し、通常モードと同様に、とじ代用の余白領域を形成する側と反対側(シフト方向下流側)の非有効画像領域幅がシフト量として設定される。
【００５５】
一方、記録用紙の単一の記録面に記録する画像の数が「２」で記録用紙の短辺側へのとじ代の形成が指示されている場合、或いは、記録用紙の単一の記録面に記録する画像の数が「４」以上の場合には、ステップ６２の判定が肯定されてステップ７０へ移行し、画像の記録位置のシフト方向に沿って配列する複数の画像の有効画像領域幅の合計値Ａを演算する。次のステップ７２では、ステップ７０で演算した前記複数の画像の有効画像領域幅の合計値Ａに先のステップ５６で読み出したとじ代量を加算した値を、画像の記録位置のシフト方向に沿った記録用紙の幅と比較し、比較結果に応じて分岐する。
【００５６】
前記複数の画像の有効画像領域幅の合計値Ａにとじ代量を加算した値が記録用紙の幅以上である場合は、ステップ７２からステップ７４へ移行し、画像の記録位置のシフト方向に沿って配列する前の複数の画像の画像データから、記録位置のシフト方向に沿って有効画像領域の両側に存在している非有効画像領域に相当するデータを全て削除する。また、ステップ７６では、画像の記録位置のシフト方向に沿った記録用紙の幅から前記複数の画像の有効画像領域幅の合計値Ａを減算した値を新たなシフト量として設定することで、先のステップ５６で設定したシフト量を補正し、とじ代形成処理を終了する。これにより、例として図８(Ｂ)に示すように、記録用紙に記録する各画像からは、記録位置のシフト方向に沿って有効画像領域の両側に存在している非有効画像領域が削除されるものの、各画像中の有効画像領域全体が記録用紙に各々記録される。
【００５７】
また、前記複数の画像の有効画像領域幅の合計値Ａにとじ代量を加算した値が記録用紙の幅よりも小さい場合は、ステップ７２からステップ７８へ移行し、先のステップ５６で読み出したとじ代量(利用者によって設定されたとじ代量)を、画像の記録位置のシフト方向に沿って配列する画像の数で除した値(１画像当りの非有効画像領域の削除幅)を変数Ｘとして演算する。またステップ８０では、記録用紙に記録する画像の左側の非有効画像領域幅ＬＭと右側の非有効画像領域幅ＲＭとの差分を変数Ｙとして演算する。そして、次のステップ８２では変数Ｙを変数Ｘと比較し、比較結果に応じて分岐する。
【００５８】
変数Ｙが変数Ｘ以上の場合、すなわち左側の非有効画像領域幅ＬＭと右側の非有効画像領域幅ＲＭとの差分が１画像当りの非有効画像領域の削除幅以上の場合は、ステップ８２からステップ８４へ移行し、画像の記録位置のシフト方向に沿って配列する前の複数の画像の各々に対し、記録位置のシフト方向に沿って有効画像領域の両側に存在している一対の非有効画像領域のうち、幅が大きい方の非有効画像領域から変数Ｘに相当する幅の領域が削除されるように、複数の画像の画像データから対応するデータを各々削除し、とじ代形成処理を終了する。
【００５９】
また、ステップ８２の判定において、変数Ｙが変数Ｘよりも小さい場合、すなわち左側の非有効画像領域幅ＬＭと右側の非有効画像領域幅ＲＭとの差分が１画像当りの非有効画像領域の削除幅よりも小さい場合は、ステップ８２からステップ８６へ移行し、画像の記録位置のシフト方向に沿って配列する前の複数の画像の各々に対し、記録位置のシフト方向に沿って有効画像領域の両側に存在している一対の非有効画像領域の幅が、当該一対の非有効画像領域のうちの幅が小さい方の非有効画像領域の幅から(Ｘ−Ｙ)／２を減じた幅となるように、複数の画像の画像データから対応するデータを各々削除し、とじ代形成処理を終了する。
【００６０】
上述したステップ８４又はステップ８６の処理が行われることで、例として図９(Ｂ)に示すように、記録用紙に記録する各画像からは、記録位置のシフト方向に沿って有効画像領域の両側に存在している非有効画像領域の少なくとも一部が削除されるものの、各画像中の有効画像領域全体が記録用紙に各々記録されると共に、各画像の有効画像領域が各画像の記録範囲のうち記録位置のシフト方向に沿った中央又は中央に近い位置に配置される。
【００６１】
なお、上記で説明したとじ代形成処理のステップ５４〜ステップ８６は本発明に係る制御手段(より詳しくは請求項１〜請求項５に記載の制御手段)に相当する処理であり、ステップ５４〜ステップ８６の処理を行う画像処理部２６は本発明に係る制御手段として機能する。また、ステップ５４〜ステップ８６のうち、ステップ５４〜６０，６８は請求項１に記載の制御手段に、ステップ５４，６４〜６８は請求項２に記載の制御手段に、ステップ５４〜６２，ステップ７０〜８６は請求項３,４(詳しくは請求項５,６)に記載の制御手段に各々対応する処理である。
【００６２】
なお、上記では画像中の非有効画像領域の幅が利用者によって設定され、設定された非有効画像領域の幅に基づいて有効画像領域と非有効画像領域の境界を認識する態様を説明したが、本発明はこれに限定されるものではない。例えば原稿の画像を読み取って記録用紙に記録する複写機能を備えた画像記録装置の中には、読み取った画像の周縁部に位置しかつ枠消し量として利用者が予め設定した幅の領域を、画像の全周に亘って複写対象から除外する(記録用紙に記録しない)枠消し機能を備えているものがあり、利用者が枠消し量を設定することで複写対象から除外した領域は原稿の画像中の主要部ではないと判断できるので、枠消し量として利用者が設定した幅を、非有効画像領域の幅としても用いるようにしてもよい。上記態様は請求項８記載の発明に対応している。
【００６３】
また、上記では有効画像領域と非有効画像領域の境界を認識するための情報として、非有効画像領域の幅(例えば図４(Ｂ)に示す非有効画像領域幅ＬＭ,ＲＭ,ＴＭ,ＢＭ)を利用者に設定させる態様を説明したが、本発明はこれに限定されるものでもなく、有効画像領域の幅を利用者に設定させるようにしてもよい。
【００６４】
また、上記では有効画像領域と非有効画像領域の境界を認識するための情報を利用者に設定させる態様を説明したが、本発明はこれに限定されるものでもなく、画像データを解析し、画像データが表す画像から空白と判断できる領域やヘッダーやフッター等のように文書の全頁に一律に付加されている文字列の領域等を抽出し、抽出した領域を非有効画像領域と判断して有効画像領域と非有効画像領域の境界を認識するようにしてもよい。また、この場合、有効画像領域と非有効画像領域の境界の認識結果を操作／表示部２２の表示部等に表示させ、前記境界の認識結果が適正か否かを利用者に確認させるようにしてもよい。
【００６５】
更に、上記では製本用モードで利用者から中とじ代の形成が指示されると共に中とじ代量が設定された場合に、設定された中とじ代量の１／２に相当する値を一対の画像が離間する方向への記録位置のシフト量(偏倚量)として設定し、設定したシフト量で有効画像領域の像欠けが生ずるか否かを判定し、有効画像領域の像欠けが生ずると判定した場合にシフト量を補正する処理を行うことで、製本対象の複数枚の記録用紙における画像記録位置のシフト量(偏倚量)の基準値(有効画像領域の像欠けが生じない場合のシフト量)を、利用者によって設定された中とじ代量の１／２に相当する値に固定する態様を説明したが、本発明はこれに限定されるものではなく、例えば製本対象の複数枚の記録用紙のうち、製本状態で最も内側に位置する記録用紙に対しては、画像記録位置のシフト量(偏倚量)の基準値として、設定された中とじ代量の１／２に相当する値を設定し、製本状態での位置が外側になるに従って、記録用紙に対する画像記録位置のシフト量(偏倚量)の基準値を徐々に増大させる等、製本対象の複数枚の記録用紙に対し、製本状態での位置に応じて画像記録位置のシフト量(偏倚量)の基準値を相違させるようにしてもよい。また、この態様では画像記録位置のシフト量(偏倚量)の基準値が大きくなるに従って有効画像領域の像欠けが生じ易くなり、像欠けが生じた場合の像欠け量も大きくなり易くなるが、例えば製本状態での各頁に相当する範囲に図８や図９に示すように複数の画像を記録する場合には、製本状態での各頁に相当する範囲に対し、各頁(製本対象の複数枚の記録用紙)毎に画像記録位置のシフト量(偏倚量)の基準値に応じて図８又は図９に示す制御(図２のステップ７２〜８６の処理)を適用し、画像記録位置のシフト量(偏倚量)の基準値に対する最終的なシフト量(偏倚量)の変化を抑制しつつ、各頁内の複数の画像の各々の有効画像領域を各頁内に記録させるようにしてもよい。
【００６６】
また、上記では原稿の画像の記録用紙への複写が指示され、原稿の画像の画像データが入力されると、本発明が適用されたとじ代形成処理を行う態様を説明したが、本発明はこれに限定されるものではなく、例えばファクシミリ通信によって他の装置から受信した画情報の画像を記録用紙に記録する際や、端末装置からネットワークを介して受信した情報が表す画像を記録用紙に記録する際に、とじ代の形成が指示された場合にも、本発明を適用し、記録する画像中の有効画像領域全体が記録用紙に記録されるように、画像の記録位置の偏倚量(シフト量)の設定及び画像中の非有効画像領域の削除の少なくとも一方を行うようにしてもよい。また本発明を、端末装置から受信した情報が表す画像を記録用紙に記録する態様に適用する場合には、図３,４に示したような設定画面は、端末装置の表示装置に表示させるように構成することが好ましい。
【００６７】
また、上記では本発明に係る画像処理プログラムに対応するとじ代形成プログラムが画像処理部２６の記憶部２６Ｃに予め記憶（インストール）されている態様を説明したが、本発明に係る画像処理プログラムは、ＣＤ−ＲＯＭやＤＶＤ−ＲＯＭ等の記録媒体に記録されている形態で提供することも可能である。
【符号の説明】
【００６８】
１０  画像記録装置
１４  画像記録部
２２  操作／表示部
２３  メモリ
２６  画像処理部
３０  とじ代形成処理部
３２  非有効画像領域検知部
３４  とじ代形成部
３６  画像シフト部
３８  画像削除部
【図１】
0005471257.tif 000002
【図２】
0005471257.tif 000003
【図３】
0005471257.tif 000004
【図４】
0005471257.tif 000005
【図５】
0005471257.tif 000006
【図６】
0005471257.tif 000007
【図７】
0005471257.tif 000008
【図８】
0005471257.tif 000009
【図９】
0005471257.tif 000010